(57)【特許請求の範囲】
【請求項１】
底面と第１から第４の側面とで構成され、古紙を収容し且つ該古紙を紐で結束するための古紙収容結束器であって、
前記底面の裏側に設けられ、前記紐の巻取方向に張力をかける付勢手段を有し、ロール状に巻かれた前記紐を装着するための紐ロール装着手段と、
前記第１の側面の外側に設けられ、前記紐ロール装着手段から繰り出された紐の端部を掛け止めするための紐端部掛止手段と、
前記第１の側面の上縁中央に設けられ、前記紐端部掛止手段で掛け止めされた紐を案内するための第１案内手段と、
前記第１の側面の下部中央に設けられ、前記第１案内手段で案内された紐を係止するための第１係止手段と、
前記第１の側面に対向する第２の側面の下部中央に設けられ、前記第１係止手段で係止され且つ前記底面上を引き回された紐を係止するための第２係止手段と、
前記第２の側面の上縁中央に設けられ、前記第２係止手段で係止された紐を案内するための第２案内手段と、
前記第２の側面の上縁外側に設けられ、前記第２案内手段で案内された紐を該上縁外側に沿って導くための第１ガイドと、
前記第２の側面に隣接する第３の側面の上縁外側に設けられ、前記第１ガイドで導かれた紐を該上縁外側に沿って導くための第２ガイドと、
前記第３の側面の上縁中央に設けられ、前記第２ガイドで導かれた紐を案内するための第３案内手段と、
前記第３の側面の下部中央に設けられ、前記第３案内手段で案内された紐を係止するための第３係止手段と、
前記第３の側面に対向する第４の側面の下部中央に設けられ、前記第３係止手段で係止され且つ前記底面上を引き回された紐を係止するための第４係止手段と、
前記第４の側面の上縁中央に設けられ、前記第４係止手段で係止された紐を案内するための第４案内手段と、
前記第４の側面の外側に設けられ、前記第４案内手段で案内された紐を切断するための紐切断手段と、
を備えることを特徴とする古紙収容結束器。
【請求項２】
前記紐端部掛止手段が、巻き綴じ具、結わえ具及び挟み具から選ばれるいずれかである、請求項１に記載の古紙収容結束器。
【請求項３】
前記紐切断手段が、掛け切り式紐切断手段又は押し切り式紐切断手段である、請求項１又は２に記載の古紙収容結束器。
【請求項４】
前記第１及び第２ガイドが、フランジ構造、突起軸及び切り欠け構造から選ばれるいずれかである、請求項１〜３のいずれか１項に記載の古紙収容結束器。
【請求項５】
前記第１から第４係止手段が、前記第１から第４の側面の下部中央に設けられた開口部と、該開口部に設けられた突起板、略矢印型突起板及びＬ字型突起板から選ばれるいずれかとで構成される、請求項１〜４のいずれか１項に記載の古紙収容結束器。
【請求項６】
前記第１から第４案内手段が、切り欠け構造又は突起軸である、請求項１〜５のいずれか１項に記載の古紙収容結束器。
【発明の詳細な説明】
【技術分野】
【０００１】
本発明は、平積みされた古紙を容易に結束できる古紙収容結束器に関する。
【背景技術】
【０００２】
廃棄予定の新聞、雑誌、広告チラシ、及びダンボール（以下、古紙ともいう。）は、家庭から廃棄される際、一般的に平積みされて紐で結ばれ、所定の回収場所まで運ばれる。平積みされた古紙を紐で結ぶことができる結束器は従来から種々提案されている。
【０００３】
特許文献１には、古紙収納梱包器が提案されている。この技術は、古紙の収納容器が底板と第一側板と第二側板と第三側板と第四側板とを有し、底板の下方には紐繰り出し手段を配設し、紐繰り出し手段から繰り出された紐を予め第一側板〜第四側板と底板とにおける所定の位置に導き、梱包時にはその紐を第一側板の上縁に位置する第一の部分にて切断し、その紐における第二側板の上縁と第三側板の上縁とに位置する第二の部分を収納容器内の古紙の上面に引き出すと共に、その紐における第四側板の上縁中央部より収納容器の内側にたれ下げられている第三の部分をその紐における第二の部分と第一の部分の切断端とに結着させるというものである。この技術によると、収納容器内に積み重ねられた古紙を、直方体状に整列した状態で、その直方体における各面の中央部を通る連続する一本の紐により十文字状に梱包できるとしている。
【０００４】
特許文献２には、古紙の一時収納具が提案されている。この技術は、上端および下端が解放され内側空間に古紙が平積み状態で収納される四つの側壁を有する筒状の収納箱と、収納箱の外側から内側又は内側から外側に折り曲げて反転する折曲反転機構が設けられ、一の折曲反転機構を収納箱の四側壁の上部に設け、他の折曲反転機構を収納箱の四側壁の下部にそれぞれ形成された窓部に設けられ、他の折曲反転機構が、収納箱に投入して収納した古紙の自重等により他の折曲反転機構から紐が下方に移動させられて他の折曲反転機構から外れる構造となっているものである。この技術によると、結束作業に先だって結束用の紐と古紙の一時収納具との係合を外す操作が必要ではなく、結束作業を迅速にかつ容易に行うことができるとしている。
【先行技術文献】
【特許文献】
【０００５】
【特許文献１】特開２００４−２０３４１０号公報
【特許文献２】特開２０１０−２４７８４６号公報
【発明の概要】
【発明が解決しようとする課題】
【０００６】
特許文献１で提案する技術では、紐の先端を引きつづけながら収容容器の側面、底面及び上縁の案内溝に紐を配置するので、紐が収納容器の案内孔や案内溝の内壁にこすれて摩擦が生じ、その摩擦抵抗により、紐を引き回すことが困難であるという難点があった。また、この技術は、案内溝の内部に紐を配置しているだけなので、案内溝の内部に導入された紐が外れやすいという難点があった。
【０００７】
特許文献２で提案する技術では、先ず、結束用の紐の先端を収納箱の上部の１点に仮固定し、次いで、他端を収納箱の四側壁の上部及び下部にそれぞれ形成された計９カ所の折曲反転機構に順次引っ掛けて張り巡らせる。最後に、仮固定した紐の端部と張り巡らした紐の端部とを仮結びする。したがって、この技術では、紐の端部同士を仮結びする際、折曲反転機構に引っ掛けた紐が外れやすく、紐を全て配置する作業が困難であるという難点があった。
【０００８】
本発明は、上記課題を解決するためになされたものであって、その目的は、古紙の結束作業を容易に行うための古紙収容結束器であって、結束用の紐を所定の位置に容易に且つ外れないように配置できる古紙収容結束器を提供することにある。
【課題を解決するための手段】
【０００９】
上記課題を解決するための本発明に係る古紙収容結束器は、底面と第１から第４の側面とで構成され、古紙を収容し且つ該古紙を紐で結束するための古紙収容結束器であって、前記底面の裏側に設けられ、ロール状に巻かれた前記紐を装着するための紐ロール装着手段と、前記第１の側面の外側に設けられ、前記紐ロール装着手段から繰り出された紐の端部を掛け止めするための紐端部掛止手段と、前記第１の側面の上縁中央に設けられ、前記紐端部掛止手段で掛け止めされた紐を案内するための第１案内手段と、前記第１の側面の下部中央に設けられ、前記第１案内手段で案内された紐を係止するための第１係止手段と、前記第１の側面に対向する第２の側面の下部中央に設けられ、前記第１係止手段で係止され且つ前記底面上を引き回された紐を係止するための第２係止手段と、前記第２の側面の上縁中央に設けられ、前記第２係止手段で係止された紐を案内するための第２案内手段と、前記第２の側面の上縁外側に設けられ、前記第２案内手段で案内された紐を該上縁外側に沿って導くための第１ガイドと、前記第２の側面に隣接する第３の側面の上縁外側に設けられ、前記第１ガイドで導かれた紐を該上縁外側に沿って導くための第２ガイドと、前記第３の側面の上縁中央に設けられ、前記第２ガイドで導かれた紐を案内するための第３案内手段と、前記第３の側面の下部中央に設けられ、前記第３案内手段で案内された紐を係止するための第３係止手段と、前記第３の側面に対向する第４の側面の下部中央に設けられ、前記第３係止手段で係止され且つ前記底面上を引き回された紐を係止するための第４係止手段と、前記第４の側面の上縁中央に設けられ、前記第４係止手段で係止された紐を案内するための第４案内手段と、前記第４の側面の外側に設けられ、前記第４案内手段で案内された紐を切断するための紐切断手段と、を備えることを特徴とする。
【００１０】
この発明によれば、第１の側面の外側に紐端部掛止手段を備えるので、結束用の紐の端部をその紐端部掛止手段に掛け止めた後、紐ロールとの間の紐を引っ張りながら引き回すことができる。これにより、古紙収容結束器に紐を這わせる際、掛け止めた紐端部を基点として紐を引き回すことができるので、紐にたるみが生じにくい。その結果、結束用の紐を古紙収容結束器の所定の位置に容易に配置できる。また、第１から第４の各側面の下部中央に設けられた係止手段と、第１から第４の各側面の上縁中央に設けられた案内手段と、第２及び第３の側面の上縁外側に設けられたガイドとに這わせた紐が、しっかりと固定されるので、一度這わせた紐が容易に外れない。その結果、結束用の紐を古紙収容結束器の所定の位置に容易に配置できる。
【００１１】
また、この発明によれば、底面の裏側に紐ロール装着手段を備えるので、結束用の紐を配置する作業の度に紐を用意する必要が無い。その結果、紐をその都度準備する手間が省けるので、結束用の紐を古紙収容結束器の所定の位置に容易に配置できる。また、この発明によれば、第４の側面の外側に紐切断手段を備えるので、古紙の結束時に他の紐切断手段を用意する必要がない。その結果、他の紐切断手段を用意する手間が省けるので、結束用の紐を古紙収容結束器の所定の位置に容易に配置できる。
【００１２】
本発明に係る古紙収容結束器において、前記した紐ロール装着手段が、紐ロールの巻取方向に張力をかける付勢手段を有する。
【００１３】
この発明によれば、紐ロール装着手段が紐ロールの巻取方向に張力をかける付勢手段を有するので、紐を這わせる際に紐に張力を付与させながら引き回すことができる。その結果、紐にたるみが生じにくいので、結束用の紐を古紙収容結束器の所定の位置に容易に配置できる。また、第１から第４の各側面の下部中央に設けられた係止手段と、第１から第４の各側面の上縁中央に設けられた案内手段と、第２及び第３の側面の上縁外側に設けられたガイドとに這わせた紐が、しっかりと固定されるので、一度這わせた紐が容易に外れない。その結果、結束用の紐を古紙収容結束器の所定の位置に容易に配置できる。
【００１４】
本発明に係る古紙収容結束器において、前記紐端部掛止手段が、巻き綴じ具、結わえ具及び挟み具から選ばれるいずれかである。
【００１５】
この発明によれば、紐端部掛止手段が、巻き綴じ具、結わえ具及び挟み具から選ばれるので、紐の端部を容易に掛止できる。その結果、結束用の紐を古紙収容結束器の所定の位置に容易に配置できる。
【００１６】
本発明に係る古紙収容結束器において、前記紐切断手段が掛け切り式紐切断手段又は押し切り式紐切断手段である。
【００１７】
この発明によれば、前記した紐切断手段が、掛け切り式紐切断手段又は押し切り式紐切断手段であるので、結束用の紐を容易に切断できる。その結果、結束用の紐を古紙収容結束器の所定の位置に容易に配置できる。
【００１８】
本発明に係る古紙収容結束器において、前記第１及び第２ガイドが、フランジ構造、突起軸及び切り欠け構造から選ばれるいずれかである。
【００１９】
この発明によれば、前記した第１及び第２ガイドが、フランジ構造、突起軸及び切り欠け構造から選ばれるいずれかであるので、結束用の紐が第２及び第３の側面の上縁外側から外れるのを防ぐことができる。その結果、結束用の紐を古紙収容結束器の所定の位置に容易に配置できる。
【００２０】
本発明に係る古紙収容結束器において、前記第１から第４係止手段が、前記第１から第４の側面の下部中央に設けられた開口部と、該開口部に設けられた突起板、略矢印型突起板及びＬ字型突起板から選ばれるいずれかとで構成される。
【００２１】
この発明によれば、第１から第４係止手段が、前記した第１から第４の側面の下部中央に設けられた開口部と、その開口部に設けられた突起板、略矢印型突起板及びＬ字型突起板から選ばれるいずれかとで構成されるので、結束用の紐をその開口部に設けられた突起板等に引っ掛けて各側面の下部中央で係止することができる。その結果、結束用の紐を古紙収容結束器の所定の位置に容易に配置できる。
【００２２】
本発明に係る古紙収容結束器において、前記第１から第４案内手段が、切り欠け構造又は突起軸である。
【００２３】
この発明によれば、第１から第４案内手段が切り欠け構造又は突起軸であるので、結束用の紐をその切り欠け構造又は突起軸に引っ掛けて引き回すことができる。その結果、結束用の紐を古紙収容結束器の所定の位置に容易に配置できる。
【発明の効果】
【００２４】
本発明に係る古紙収容結束器によれば、結束用の紐の端部を紐端部掛止手段に掛け止めた後、紐ロールとの間の紐を引っ張りながら引き回すことができる。これにより、古紙収容結束器に紐を這わせる際、掛け止めた紐端部を基点として引き回すことができるので、紐にたるみが生じにくい。その結果、結束用の紐を古紙収容結束器の所定の位置に容易に配置できる。また、第１から第４の各側面の下部中央に設けられた係止手段と、第１から第４の各側面の上縁中央に設けられた案内手段と、第２及び第３の側面の上縁外側に設けられたガイドとに這わせた紐が、しっかりと固定されるので、一度這わせた紐が容易に外れない。その結果、結束用の紐を古紙収容結束器の所定の位置に容易に配置できる。
【００２５】
また、本発明に係る古紙収容結束器によれば、結束用の紐を這わせる際に紐に張力を付与させながら引き回すことができるので、紐にたるみが生じにくい。その結果、紐を古紙収容結束器の所定の位置に容易に配置できる。また、第１から第４の各側面の下部中央に設けられた係止手段と、第１から第４の各側面の上縁中央に設けられた案内手段と、第２及び第３の側面の上縁外側に設けられたガイドとに這わせた紐が、しっかりと固定されるので、一度這わせた紐が容易に外れない。その結果、結束用の紐を古紙収容結束器の所定の位置に容易に配置できる。
【図面の簡単な説明】
【００２６】
【図１】本発明に係る古紙収容結束器の一例を示す斜視図である。
【図２】古紙収容結束器の使用方法（その１）を示す斜視図である。
【図３】古紙収容結束器の使用方法（その２）を示す斜視図である。
【図４】古紙収容結束器の使用方法（その３）を示す斜視図である。
【図５】紐装着手段の一例を示す断面図である。
【図６】紐装着手段の他の例を示す断面図である。
【図７】装着手段の付勢手段を示す断面図である
【図８】紐端部掛止手段の例を示す斜視図である。
【図９】紐端部掛止手段の一例を示す断面図である。
【図１０】案内手段の例を示す斜視図である。
【図１１】案内手段の一例を示す断面図である。
【図１２】係止手段の例を示す斜視図である。
【図１３】係止手段の一例を示す斜視図である。
【図１４】図１３の係止手段の一例を示す断面図である。
【図１５】ガイドの例を示す斜視図である。
【図１６】ガイドの一例を示す斜視図である。
【図１７】図１６のガイドの一例を示す断面図である。
【図１８】紐切断手段の例を示す斜視図である。
【図１９】（Ａ）は図１８（Ａ）の紐切断手段の一例を示す斜視図である。（Ｂ）は図１８（Ａ）の紐切断手段の一例を示す断面図である。
【図２０】（Ａ）図１８（Ｂ）の紐切断手段の一例を示す断面図である。（Ｂ）は図１８（Ｂ）の紐切断手段の他の一例を示す断面図である。
【図２１】本発明に係る古紙収容結束器の他の一例を示す斜視図である。
【発明を実施するための形態】
【００２７】
以下、本発明に係る古紙収容結束器を図面を参照しつつ説明する。本発明の技術的範囲は、下記の記載や図面のみに限定されるものではない。
【００２８】
［実施形態］
本発明に係る古紙収容結束器１０は、図１に示すように、古紙を収容し且つその古紙を紐１１で結束するために用いられる。この古紙収容結束器１０は、底面１と第１から第４の側面２とで構成され、底面１の裏側に設けられる紐ロール装着手段７と、第１の側面２ａの外側に設けられる紐端部掛止手段３と、第１の側面２ａの上縁中央に設けられる第１案内手段４ａと、第１の側面２ａの下部中央に設けられる第１係止手段５ａと、第１の側面２ａに対向する第２の側面２ｂの下部中央に設けられる第２係止手段５ｂと、第２の側面２ｂの上縁中央に設けられる第２案内手段４ｂと、第２の側面２ｂの上縁外側に設けられる第１ガイド６ｂと、第２の側面２ｂに隣接する第３の側面２ｃの上縁外側に設けられる第２ガイド６ｃと、第３の側面２ｃの上縁中央に設けられる第３案内手段４ｃと、第３の側面２ｃの下部中央に設けられる第３係止手段５ｃと、第３の側面２ｃに対向する第４の側面２ｄの下部中央に設けられる第４係止手段５ｄと、第４の側面２ｄの上縁中央に設けられる第４案内手段４ｄと、第４の側面２ｄの外側に設けられる紐切断手段８と、を備える。
【００２９】
以下、各構成をそれぞれを詳しく説明する。なお、図１に示す古紙収容結束器の各面には紐を引き回す順序を示す矢印が形成されているが、これは実施形態には形成されていなくてもよい。また、図１には、第１の側面２ａから正面視した場合に、第３の側面２ｃの位置は左側にあり、第４の側面２ｄの位置は右側にあるが、この側面２ｃと側面２ｄの位置は逆であってもよい。
【００３０】
（紐ロール装着手段）
紐ロール装着手段７は、紐ロールを底面１の裏側に装着するものであり、図１に示すように、底面１の裏側に設けられる。紐ロール装着手段７は、底面１の裏側のどこに設けられてもよいが、通常は、底面１の裏側の中央に設けられる。紐ロール装着手段７は、例えば、図５（Ａ）に示すように、下端に板状の受け部２１を設けた円筒体の装着軸２０を備える紐ロール装着手段１１０や、図５（Ｂ）に示すように、下端に板状の受け部２１を設けて、中間部の太さがテーパー状に絞られた円筒体の装着軸２２を備える紐ロール装着手段１１１が挙げられる。なお、紐ロールとは、結束用の紐１１を円筒状に巻き回したものであり、装着軸とは紐ロールを装着する軸のことである。
【００３１】
紐ロール装着手段としては、好ましくは、図５（Ｂ）に示すように、装着軸２２を備える紐ロール装着手段１１１が用いられる。ここで、装着軸２２は中間部の太さがテーパー状に絞られた円筒体であり、装着軸２２の最短の直径ｄは、市販の紐ロールの紙管２３の内径ｄ１よりも短くなるように形成される。このような装着軸２２を備えることにより、内径が異なる種々の市販の紐ロールを装着軸２２に装着できる。また、装着軸２２のテーパー状の傾斜面と紙管２３とが接する部分３６で、装着軸２２が紙管２３を抑えることにより、紐ロールを装着軸２２に固定して装着できる。紐ロールを装着軸２２に固定して装着できることにより、紐ロール装着手段１１１が後述する紐ロールの巻取方向に張力をかける付勢手段を備え、且つ、装着軸２２を回転自在のリール又はドラムとした際、紐ロールから巻取方向に張力をかけながら紐１１を繰り出すことができるようになる。
【００３２】
上述したように、紐ロール装着手段１１１を備えることにより、例えば、市販されている内径が４０ｍｍの「スズランテープ」（シーアイ化成株式会社製）を装着軸２２に固定して装着できるし、これに限らず、例えば、内径が７６ｍｍの紐ロールも固定して装着できるし、内径が２５ｍｍの紐ロールも固定して装着できる。紐ロールを紐ロール装着手段１１１に固定して装着する際、紙管２３の内径が４０ｍｍの紐ロールは、紙管２３は装着軸２２のテーパー状の傾斜面の中央又は略中央で装着軸２２と接して固定され、紙管２３の内径が７６ｍｍの紐ロールは、装着軸２２のテーパー状の傾斜面のより外側で固定され、紙管２３の内径が２５ｍｍの紐ロールは、装着軸２２のテーパー状の傾斜面のより内側で固定される。
【００３３】
一方、紐ロール装着手段１１０を用いる場合は、図５（Ａ）に示すように、装着軸２０に所定の紙管２３の内径の紐ロールをはめ込むことで、市販の紐ロールを装着軸２０に固定して装着できる。ここで、装着軸２０の直径ｄは、市販の紐ロールの紙管２３の内径ｄ１よりも短くなるように形成される。紐ロールを固定して装着できることにより、紐ロール装着手段１１０が後述する紐ロールの巻取方向に張力をかける付勢手段を備え、且つ、装着軸２０を回転自在のリール又はドラムとした際、紐１１に巻取方向に張力をかけながら紐ロールから紐１１を繰り出すことができるものとなる。
【００３４】
上述したとおり、紐ロール装着手段７が装着軸２０又は装着軸２２を備えることにより、市販の紐ロールをそのまま装着できる。その結果、紐１１をその都度用意する必要がないので、紐ロール装着手段７を備える古紙収容結束器１０は、紐１１を所定の位置に容易に配置できるものとなる。
【００３５】
また、紐ロール装着手段７は、装着軸で２つに分離できる構造とすることが望ましい。分離できる構造としては、例えば、図６（Ａ）に示すように、装着軸取付部２４と装着軸取り外し部２５とをはめ合わせる構造や、図６（Ｂ）に示すように、装着軸取付部２６の外側の凸部２７と、装着軸取り外し部２８の内壁の凸部２９とを掛け合わせる構造や、図６（Ｃ）に示すように、装着軸取付部３０の外側の凸部３１を、装着軸取り外し部３２の開口部３３に挿し込む構造や、図６（Ｃ）に示すように、装着軸取付部３４に装着軸取り外し部３５をねじ込む構造が挙げられる。このうち、図６（Ｂ）の装着軸取り外し部２８の内壁には、装着軸取り外し部２８が着脱可能にするために、凸部２９を設ける箇所と設けない箇所があることが好ましい。このような構造の装着軸とすることで、装着軸が２つに分離でき、その分離した部分に紐ロールを装着できる。なお、装着軸取付部とは、分離した装着軸のうち、底面１に固定されている部分であり、装着軸取り外し部とは、分離した装着軸のうち、底面１に固定されていない部分である。
【００３６】
紐ロール装着手段７は、紐ロールの巻取方向に張力をかける付勢手段を備えることができる。この付勢手段は、紐１１を繰り出す際に紐１１に張力を付与するためのものである。付勢手段の構造は、特に限定されないが、例えば、ゼンマイバネを用いる構造が挙げられる。図７の装着軸の水平の断面図はゼンマイバネ１１２を用いた構造の例を示している。この例では、装着軸の内部の空間にゼンマイバネ１１２が収納され、ゼンマイバネ１１２の巻き芯部１１３は底面１に固定される。また、ゼンマイバネ１１２の三角形状の端部１１５の一角が、装着軸の内壁のラチェット構造１１４と噛み合わさっている。
【００３７】
装着軸を巻取方向に回転させて、紐ロールから紐１１を繰り出す場合、ゼンマイバネ１１２の端部１１５の一角がラチェット構造１１４と噛み合わさって固定される。これにより、ゼンマイバネ１１２も装着軸と一緒に回転するので、ゼンマイバネ１１２に繰り出された紐１１を引き戻そうとする力が発生する。その結果、紐ロール装着手段７は紐ロールの巻取方向に張力をかけながら、紐１１を繰り出すことができるものとなる。さらに、紐１１を所定の長さよりも長く引っ張った場合、ゼンマイバネ１１２の端部１１５の一角がラチェット構造１１４に噛み合わさる力が大きなものとなり、ゼンマイバネ１１２の端部１１５は金属の弾性により反り曲がる。そうすると、ラチェット構造１１４との噛み合わせが外れるので、装着軸が巻取方向に回転し、紐１１を所望の長さまで繰り出し続けることができる。
【００３８】
一方、装着軸を巻取方向とは反対方向に回転させて、紐ロールに紐１１を巻き戻す場合、ゼンマイバネ１１２の端部１１５の一角とラチェット構造１１４とは噛み合わない。そのため、ゼンマイバネ１１２の端部１１５は固定されないので、装着軸２２は巻取方向とは反対方向に自由に回転させることができる。その結果、紐ロールから繰り出された紐１１を、自在に紐ロールに巻き戻すことができる。
【００３９】
なお、紐ロール装着手段７が上述の付勢手段を備える場合、装着軸は回転自在のリール（図示しない）又はドラム（図示しない）とする。装着軸を回転自在のリール又はドラムとすることで、上述の付勢手段を備える紐ロール装着手段７は巻取方向に張力を付与させながら紐１１を繰り出すことができるものとなる。
【００４０】
上述の通り、紐ロール装着手段７が付勢手段を備えることで、紐１１を古紙収容結束器１０に這わせる際、紐１１に張力を付与させながら紐１１を引き回すことができる。その結果、紐１１にたるみが生じにくいので、紐１１を古紙収容結束器１０の所定の位置に容易に配置できるものとなる。また、各案内手段４、各係止手段５及び各ガイド６に這わせた紐１１が、付勢手段による張力によりしっかりと固定されるので、一度這わせた紐１１が容易に外れない。その結果、紐１１を古紙収容結束器１０の所定の位置に容易に配置できるものとなる。
【００４１】
なお、紐ロール装着手段７が付勢手段を備えない場合であっても、各案内手段４、各係止手段５及び各ガイド６に這わされた紐１１は、各案内手段４、各係止手段５及び各ガイド６と紐１１との摩擦や、紐１１の自重により、紐１１が紐ロール装着手段７から自由に繰り出されることを防ぐことができる。各案内手段４、各係止手段５及び各ガイド６に這わせた紐１１は、しっかりと固定されるので、一度這わせた紐１１が容易に外れない。その結果、紐１１を古紙収容結束器１０の所定の位置に容易に配置できるものとなる。
【００４２】
（紐端部掛止手段）
紐端部掛止手段３は、紐ロール装着手段８から繰り出された紐１１の端部１２を掛け止めるためのものであり、図１に示すように、側面２ａの外側に設けられる。紐端部掛止手段３は側面２ａの外面であって、後述する古紙の結束作業が行える程度の紐１１の長さを確保できれば、どこに設けられてもよいが、通常は、側面２ａの外面の中心から側面２ａの中央下端の間に設けられる。紐端部掛止手段３としては、例えば、巻き綴じ具、結わえ具又は挟み具が挙げられる。このような紐端部係止手段３により、紐端部１２を容易に掛け止めることができるので、紐１１を古紙収容結束器１０の所定の位置に容易に配置できる。
【００４３】
巻き綴じ具としては、例えば、図８（Ａ）に示すように、側面２ａから突起して、紐端部１２を巻き綴じることができる突起軸４０や、図８（Ｂ）に示すように、側面２ａから突起して、先端に平板４１を設け、紐端部１２を巻き綴じることができる突起軸４２や、図８（Ｃ）に示すように、側面２ａにねじ込まれ、紐端部１２を巻き綴じることができるボルト４３が挙げられる。
【００４４】
なお、突起軸４０、突起軸４２及びボルト４３は、巻き綴じた紐１１が外れるのを防ぐために必要な所定の長さ及び太さを有するものとする。
【００４５】
結わえ具としては、例えば、図８（Ｄ）に示すように、側面２ａに取り付けられ、紐端部１２を半円状の中空体の内側の開口部に通してから、その半円状の中空体に巻き回した後、紐端部１２を結んで止めることができる半円状の中空体構造４４や、図８（Ｅ）に示すように、側面２ａに設けられる２つの開口部であって、紐端部１２をその一の開口部に側面２ａの外側から内側方向に通した後に、他の開口部に紐端部１２を側面２ａの内側から外側方向へ通すことで、紐１１を２つの開口部の間にある側面２ａに巻き回した後、紐端部１２を結んで止めることができる開口部４５が挙げられる。
【００４６】
挟み具としては、例えば、図８（Ｆ）に示すように、側面２ａに取り付けられ、部材４８の先端が互いに接近する方向に付勢されて接する圧接部４７が形成され、後端部につまみが形成され、部材４８の中心又は略中心位置で一対の部材４８がねじりコイルバネ４９で支持されており、ねじりコイルバネ４９の弾性力により、圧接部４７で紐端部１２を挟んで止めることができるクリップ４６や、図８（Ｇ）に示すように、側面２ａに取り付けられ、矩形の金属板が長手方向に２つ折りにされ、金属板の弾性力により金属板同士が互いに接近する方向に付勢されて接する圧接部５２で、紐端部１２を挟んで止めることができるスライドクリップ５１や、図８（Ｈ）に示すように、側面２ａに取り付けられる直方体で、一の辺の中間又は略中間からその辺を共有する２つの側面の中心又は略中心まで、先端先細りのテーパー状のスリット５４が設けられ、スリット５４の内側の狭い幅の部分に紐１１を挟み止めることができる挟み具５３が挙げられる。
【００４７】
紐端部掛止手段３としては、好ましくは、図８（Ｂ）に示す突起軸４２が用いられる。突起軸４２に紐端部１２を掛け止めた例を、図９の断面図に示す。この例では、平板４１は、側面２ａとの間の寸法ｄ２が紐１１の厚さｔよりも長くなるように取り付けられている。このような突起軸４２を用いることで、紐１１を平板４１と側面２ａとの間に通すことができ、こうして通した紐１１を突起軸４２に巻き回すことで、紐端部１２を容易に掛け止めることができる。また、突起軸４２の先端に平板４１を設けているので、紐端部１２は突起軸４２から容易に外れないものとなる。その結果、紐端部掛止手段３として突起軸４２を用いた古紙収容結束器１０は、紐１１を所定の位置に容易に配置できるものとなる。
【００４８】
（第１案内手段）
第１案内手段４ａは、紐端部掛止手段３で掛け止めされた紐１１を後述する第１係止手段５ａに案内するためのものであり、図１に示すように、側面２ａの上縁中央に設けられる。具体的には、第１案内手段４ａは側面２ａの底面１とは反対方向の端面の中央に設けられる。第１案内手段４ａとしては、例えば、切り欠け構造又は突起軸が挙げられる。突起軸は、側面２ｂ及び２ｃの上縁中央に好ましく設けられる。このような第１案内手段４ａに紐１１を引っ掛けて引き回すことができるので、紐１１を古紙収容結束器１０の所定の位置に容易に配置できる。
【００４９】
切り欠け構造としては、例えば、図１０（Ａ）に示すように、矩形状に側面２ａを切り取った後、その切り取った矩形の幅よりも長い直径の円でさらに側面２ａを切り取った円型切り欠け構造１００や、図１０（Ｂ）に示すように、矩形状に側面２ａを切り取った矩形型切り欠け構造１０１や、図１０（Ｃ）に示すように、Ｕ字状に側面２ａを切り取ったＵ字型切り欠け構造１０２や、図１０（Ｄ）に示すように、Ｌ字状に側面２ａを切り取ったＬ字型切り欠け構造１０３や、図１０（Ｅ）に示すように、半円状に側面２ａを切り取った半円型切り欠け構造１０４や、図１０（Ｆ）に示すように、Ｖ字状に側面２ａを切り取ったＶ字型切り欠け構造１０５が挙げられる。
【００５０】
なお、円型切り欠け構造１００、形型切り欠け構造１０１、Ｕ字型切り欠け構造１０２、Ｌ字型切り欠け構造１０３、半円型切り欠け構造１０４及びＶ字型切り欠け構造１０５は、側面２ａの上端から鉛直下方向に側面２ａを切り取って形成され、且つ、側面２ａの上端から切り欠け構造の内部まで紐１１を導入できるように形成される。
【００５１】
突起軸としては、例えば、図１０（Ｇ）に示すように、側面２ａの上端面から鉛直上方向に突起していて、紐１１を引っ掛けて引き回すことができるのに必要な長さ及び太さを有する突起軸１０６や、図１０（Ｈ）に示すように、側面２ａの上端面にねじ込まれ、紐１１を引っ掛けて引き回すことができるのに必要な長さ及び太さを有するボルト１０７が挙げられる。
【００５２】
上記した第１案内手段４ａのうち、好ましくは、図９（Ａ）に示す円型切り欠け構造１００が用いられる。紐１１を円型切り欠け構造１００に引っ掛けた例を、図１１の断面図に示す。この例では、円型切り欠け構造１００の内面の上部から、互いに接近する方向に張り出している張り出し部１０８が設けられており、この張り出し部１０８の間の寸法ｄ３は、紐１１の厚さｔよりも長くなっている。このような円型切り欠け構造１００を設けることで、紐１１を張り出し部１０８の間を通して円型切り欠け構造１００の内部に容易に導くことができる。また、円型切り欠け構造１００の内部に導かれた紐１１は張り出し部１０８に引っ掛かって、容易に外れないものとなる。その結果、第１案内手段４ａとして円型切り欠け構造１００を設けた古紙収容結束器１０は、紐１１を所定の位置に容易に配置できるものとなる。
【００５３】
（第１係止手段）
第１係止手段５ａは、第１案内手段４ａで案内された紐１１を係止するためものであり、図１に示すように、側面２ａの下部中央に設けられた開口部１４の内側に設けられる。具体的には、第１係止手段５ａは側面２ａの底部中央で、側面２ａがくりぬかれた開口部１４の内側に設けられる。第１係止手段５ａとしては、例えば、突起板、略矢印型突起板、又はＬ字型突起板が挙げられる。このような第１係止手段５ａに紐１１を引っ掛けて係止できるので、紐１１を古紙収容結束器１０の所定の位置に容易に配置できる。
【００５４】
突起板としては、例えば、図１２（Ａ）に示すように、矩形の開口部１４の側面下部から、側面２ａと同一平面上で、長さ方向が水平方向になるように設けられる矩形の突起板６０や、図１２（Ｂ）に示すように、矩形の開口部１４の上面の中央又は略中央から、側面２ａと同一平面上で、長さ方向が鉛直方向になるように設けられる突起板６１が挙げられる。
【００５５】
略矢印型突起板としては、図１２（Ｃ）に示すように、矩形の開口部１４の側面下部から、側面２ａと同一平面状で、長さ方向が水平方向になるように設けられる平板で、その平板の外面がその長さ方向の中間又は略中間で、その長さ方向と垂直に張り出した後、先端に架けて先細りとなる構造を有する略矢印型突起板６２や、図１２（Ｄ）に示すように、矩形の開口部１４の側面下部から、側面２ａと同一平面上で、長さ方向が水平方向になるように設けられる平板で、その平板の下面がその長さ方向の中央又は略中央部で、その長さ方向と垂直に張り出した後、先端に架けて先細りの構造を有する略矢印型突起板６３や、図１２（Ｅ）に示すように、矩形の開口部１４の上面中央又は略中央から、側面２ａと同一平面上で、長さ方向が鉛直方向になるように設けられる平板で、その平板の外面がその長さ方向の中間又は略中間で、その長さ方向と垂直に張り出した後、先端に架けて先細りとなる構造を有する略矢印型突起板６４や、図１２（Ｆ）に示すように、矩形の開口部１４の上面中央又は略中央から、側面２ａと同一平面上で、長さ方向が鉛直方向になるように設けられる平板で、その平板の開口部１４の側面と向かい合う一の側面が、その長さ方向の中間又は略中間で、その長さ方向と垂直に張り出した後、先端に架けて先細りとなる構造を有する略矢印型突起板６５が挙げられる。
【００５６】
Ｌ字型突起板としては、例えば、図１２（Ｇ）に示すように、矩形の開口部１４の側面下部から長さ方向が水平方向になるように設けられるＬ字型の平板で、Ｌ字の先端が古紙収容結束器１０の外側に向いているＬ字型突起板６６や、図１２（Ｈ）に示すように、矩形の開口部１４の側面下部から長さ方向が水平方向になるように設けられるＬ字型の平板で、Ｌ字の先端が鉛直下方向に向いているＬ字型突起板６７や、図１２（Ｉ）に示すように、矩形の開口部１４の上面の中央又は略中央から長さ方向が鉛直下方向になるように設けられるＬ字型の平板で、Ｌ字の先端が古紙収容結束器１０の外側に向いているＬ字型突起板６８や、図１２（Ｊ）に示すように、矩形の開口部１４の上面中央又は略中央から長さ方向が鉛直下方向になるように設けられるＬ字型の平板で、Ｌ字の先端が開口部１４の側面方向に向いているＬ字型突起板６９が挙げられる。
【００５７】
なお、上記した突起板６０、突起板６１、略矢印型突起板６２、略矢印型突起板６３、略矢印型突起板６４、略矢印型突起板６５、Ｌ字型突起板６６、Ｌ字型突起板６７、Ｌ字型突起板６８及びＬ字型突起板６９は、紐１１を引っ掛けて引き回すのに必要な長さ及び太さを有するものとする。
【００５８】
上記した第１係止手段のうち、突起板よりも略矢印型突起板又はＬ字型突起板の方が、引っ掛けた紐１１をより外れないように係止できるので、より好ましい。中でも、係止手段の強度の面から、略矢印型突起板がより好ましい。
【００５９】
図１３及び図１４は、略矢印型突起板６２に紐１１を係止した例を示す斜視図及び断面図である。この例では、紐１１を略矢印型突起板６２に古紙収容結束器１０の内側から外側に引っ掛けることで、紐１１を係止する。略矢印型突起板６２が古紙収納結束器１０の外側方向に張り出した張り出し部７１を有するので、略矢印型突起板６２に一度係止された紐１１は、張り出し部７１に引っ掛かって容易に外れないものとなる。その結果、第１係止手段５ａとして略矢印型突起板６２を有する古紙収容結束器１０は、紐１１を所定の位置に容易に配置できるものとなる。
【００６０】
（第２係止手段）
第２係止手段５ｂは、第１係止手段５ａで係止され且つ底面１上を引き回された紐１１を係止するためものであり、図１に示すように、側面２ｂの下部中央に設けられる。具体的には、第２係止手段５ｂは側面２ｂの底部中央で、側面２ｂがくりぬかれた開口部１４の内側に設けられる。第２係止手段５ｂの具体的な構造は、上記した（第１係止手段）で説明した内容と同様であるので、ここではその説明を省略する。
【００６１】
（第２案内手段）
第２案内手段４ｂは、第２係止手段５ｂで係止された紐１１を案内するためのものであり、図１に示すように、側面２ｂの上縁中央に設けられる。具体的には、第２案内手段４ｂは側面２ｂの底面１とは反対方向の端面中央に設けられる。第２案内手段４ｂの具体的な構造は、上記した（第１案内手段）で説明した内容と同様であるので、ここではその説明を省略する。
【００６２】
（第１ガイド）
第１ガイド６ｂは、第２案内手段４ｂで案内された紐１１を側面２ｂの上縁外側に沿って導くためのものであり、図１に示すように、側面２ｂの上縁外側に設けられる。具体的には、第１ガイド６ｂは側面２ｂの上部外側で、且つ、側面２ｂの中央よりも側面２ｃ側に設けられる。第１ガイド６ｂとしては、フランジ構造、突起軸又は切り欠け構造が挙げられる。このような第１ガイド６ｂに紐１１を這わせることで、這わされた紐１１が側面２ｂの上縁外側から外れるのを防ぐことができる。その結果、紐１１を古紙収容結束器１０の所定の位置に容易に配置できる。
【００６３】
フランジ構造としては、例えば、図１５（Ａ）に示すように、側面２ｂの上縁から古紙収容結束器１０の水平外側方向に出っ張ったフランジ構造８０や、図１５（Ｂ）に示すように、側面２ｂの上縁から古紙収容結束器１０の水平外側方向に出っ張ったフランジ部分の一部の先端が鉛直下方向に張り出しているフランジ構造８１が挙げられる。
【００６４】
突起軸としては、例えば、図１５（Ｃ）に示すように、側面２ｂの底面１とは反対方向の端部に設けられ、紐１１を這わせるのに必要な長さ及び太さを有する突起軸８２や、図１５（Ｄ）に示すように、側面２ｂの底面１とは反対方向の端部にねじ込まれ、紐１１を這わせるのに必要な長さ及び太さを有するボルト８３が挙げられる。
【００６５】
切り欠け構造としては、例えば、図１５（Ｅ）に示すように、側面２ｂと側面２ｃの隅に設けられ、側面２ｂの上部から側面２ｃの上部に架けて側面を矩形に切り取った切り欠け部８４や、図１５（Ｆ）に示すように、側面２ｂと側面２ｃの隅に設けられ、側面２ｂの上部から側面２ｃの上部に架けて側面を三角形に切り取った切り欠け部８５が挙げられる。
【００６６】
上記した第１ガイド６ｂのうち、好ましくは、図１５（Ｂ）に示すフランジ構造８１が用いられる。フランジ構造８１に紐１１を這わせた例を図１６の斜視図を示す。この例では、フランジ構造８１の下に紐１１を這わせて、案内手段４ｂから案内手段４ｃまで紐１１を導いている。フランジ構造８１に紐１１を這わせた例を図１７の断面図を示す。この例において、フランジ部分の一部の先端が鉛直下方向に張り出している張り出し部８６は、側面２ｂとの間の寸法ｄ４が、紐１１の厚さｔよりも長くなるように設けられている。このような張り出し部８６を有するフランジ構造８１を用いることで、フランジ構造８１の下に紐１１を這わせることができ、また、這わせた紐１１はり出し部８６に引っ掛かって容易に外れないものとなる。その結果、第１ガイド６ｂとしてフランジ構造８１を用いた古紙収容結束器１０は、紐１１を所定の位置に容易に配置できるものとなる。
【００６７】
（第２ガイド）
第２ガイド６ｃは、第１ガイド６ｂで導かれた紐１１を側面２ｃの上縁外側に沿って導くためのものであり、図１に示すように、側面２ｃの上縁外側に設けられる。具体的には、第２ガイド６ｃは側面２ｃの上部外側で且つ側面２ｃの中央よりも側面２ｂ側に設けられる。第２ガイド６ｃの具体的な構造は、上記した（第１ガイド）で説明した内容と同様であるので、ここではその説明を省略する。
【００６８】
（第３案内手段）
第３案内手段４ｃは、第２ガイド６ｃで導かれた紐１１を案内するためのものであり、図１に示すように、側面２ｃの上縁中央に設けられる。具体的には、第３案内手段３ｃは側面２ｃの底面１とは反対方向の端面中央に設けられる。第３案内手段４ｃの具体的な構造は、上記した（第１案内手段）で説明した内容と同様であるので、ここではその説明を省略する。
【００６９】
（第３係止手段）
第３係止手段５ｃは、第３案内手段４ｃで案内された紐１１を係止するためのものであり、図１に示すように、側面２ｃの下部中央に設けられる。具体的には、第３係止手段５ｃは側面２ｃの底部中央で、側面２ｃがくりぬかれた開口部１４の内側に設けられる。第２係止手段５ｃの具体的な構造は、上記した（第１係止手段）で説明した内容と同様であるので、ここではその説明を省略する。
【００７０】
（第４係止手段）
第４係止手段５ｄは、第３係止手段５ｃで係止され且つ底面１上を引き回された紐１１を係止するためのものであり、図１に示すように、側面２ｄの下部中央に設けられる。具体的には、第４係止手段５ｄは側面２ｄの底部中央で、側面２ｄがくりぬかれた開口部１４の内側に設けられる。第４係止手段５ｄの具体的な構造は、上記した（第１係止手段）で説明した内容と同様であるので、ここではその説明を省略する。
【００７１】
（第４案内手段）
第４案内手段４ｄは、第４係止手段５ｄで係止された紐１１を案内するためのものであり、図１に示すように、側面２ｄの上縁中央に設けられる。具体的には、第４案内手段４ｄは側面２ｄの底面１とは反対方向の端面中央に設けられる。第４案内手段４ｄの具体的な構造は、上記した（第１案内手段）で説明した内容と同様であるので、ここではその説明を省略する。
【００７２】
（紐切断手段）
紐切断手段８は、第４案内手段４ｄで案内された紐１１を切断するためのものであり、図１に示すように、側面２ｄの外側に設けられる。紐切断手段８は側面２ｄの外側であって、紐１１を切断後に後述する結束作業が行える程度の紐１１の長さを確保できればどこに設けられてもよいが、通常は、側面２ｄの外面の中心から中央下端の間に設けられる。紐切断手段８の構造としては、例えば、掛け切り式紐切断手段又は押し切り式紐切断手段が挙げられる。このような紐切断手段８を備えることで、古紙の結束時に他の紐切断手段を用意する必要がない。その結果、他の紐切断手段を用意する手間が省けるので、紐１１を古紙収容結束器１０の所定の位置に容易に配置できる。
【００７３】
図１８（Ａ）は、掛け切り式紐切断手段９０の例である。この例において、掛け切り式紐切断手段９０は、正面視で矩形の平板に鉛直下側から上方向にかけてスリット９２を設け、スリット９２の内部にカッター刃９１を備え、カッター刃９１に紐１１を引っ掛けて切ることができるものである。図１９（Ａ）の斜視図及び図１９（Ｂ）の断面図に掛け切り式紐切断手段９０で紐１１を切断する例を示す。この例では、掛け切り式紐切断手段９０のスリット９２の幅ｄ５は、紐１１の厚さｔよりも長くなるように設けられている。このようなスリット９２を設けることで、紐１１をスリット９２に通すことができ、スリット９２に通した紐１１をカッター刃９１に引っ掛けることで紐１１を容易に切断できる。
【００７４】
図１８（Ｂ）は、押し切り式紐切断手段９３の例である。この例において、押し切り式紐切断手段９３は、正面視で矩形の平板の裏面でスプリング９７に固定されていることにより押し込み可能な円形の可動部９４を設け、可動部９４の裏側にはカッター刃９５を備え、可動部９４を押し込むことで側面２ｄの外側の突起部９６とカッター刃９５の間に通された紐１１を押し切ることができるものである。図２０（Ａ）は、側面２ｄの外側の突起部９６とカッター刃９５の間に紐１１が通された状態の断面図を示しており、図２０（Ｂ）は、可動部９４を押し込むことで紐１１を切断した後の断面図を示している。
【００７５】
上記した紐切断手段８のうち、片手で容易に紐１１を切断することができるので、好ましくは、掛け切り式紐切断手段９０が用いられる。掛け切り式紐切断手段９０を備える古紙収容結束器１０は、紐１１を所定の位置に容易に配置できるものとなる。
【００７６】
（古紙収容結束器の使用）
古紙収容結束器１０の使用方法について説明する。古紙収容結束器１０の使用には結束用の紐１１の配置作業と、古紙収容結束器１０の内部に収容した古紙を結束する結束作業とがある。紐１１を図２及び図３に示すように古紙収容結束器１０に配置し、その後、収容した古紙を図４に示すように結束する。２つの作業について、詳しく説明する。
【００７７】
紐１１の配置作業は、後述の古紙の結束作業を容易にするためのものであり、古紙収容結束器１０の所定の位置に紐１１を這わせる作業である。紐１１の配置作業は、古紙収容結束器１０の内部に古紙を収容する前に行う。先ず、図２に示すように、紐ロール装着手段７に紐ロールを装着し、紐ロールから繰り出した紐１１の端部１２を紐端部掛止手段３に掛け止める。次いで、紐端部１２と紐ロールとの間の紐１１を、図１の古紙収容結束器１０の各面に形成された矢印の示す方向に従って引き回して、古紙収容結束器１０の所定の位置に紐１１を這わせる。図３には、配置作業が完了した古紙収容結束器１０を示す。なお、古紙収容結束器１０には上記した矢印が予め形成されていることが望ましい。
【００７８】
紐１１の配置作業の手順をさらに詳細に説明する。先ず、図２に示すように、紐ロール装着手段７に紐ロールを装着し、紐ロールから繰り出した紐１１の端部１２を紐端部掛止手段３に掛け止める。次いで、紐端部１２と紐ロールとの間の紐１１を側面２ａの外面上に這わせて、第１案内手段４ａまで引き回す。次いで、側面２ａの内面上に紐１１を這わせて、第１係止手段５ａまで引き回す。次いで、底面１上に紐１１を這わせて、第２係止手段５ｂまで引き回す。次いで、側面２ｂの内面上に紐１１を這わせて、第２案内手段４ｂまで引き回す。次いで、第一ガイド６ｂ及び第一ガイド６ｃに紐１１を這わせて、第３案内手段４ｃまで引き回す。次いで、側面２ｃの内面上に紐１１を這わせて、第３係止手段５ｃまで引き回す。次いで、底面１上に紐１１を這わせて、第４係止手段５ｄまで引き回す。最後に、側面２ｄの内面上に紐１１を這わせて、第４案内手段４ｄまで引き回した後、紐切断手段８に紐１１を這わせる。
【００７９】
先ず紐端部掛止手段３に紐端部１２を掛け止めることで、掛け止めされた紐端部１２を基点として、上述した手順で紐１１を引き回すことができる。このため、紐１１にたるみが生じにくいので、紐１１を古紙収容結束器１０の所定の位置に容易に配置できる。また、各案内手段４、各係止手段５及び各ガイド６に這わせた紐１１が、しっかりと固定されるので、一度這わせた紐１１が容易に外れないものとなる。その結果、古紙収容結束器１０の所定の位置に紐１１を容易に配置できる。
【００８０】
古紙の結束作業は、古紙収容結束器１０の内部に平積みされた古紙を紐１１で結ぶ作業である。古紙の結束作業により、古紙収容結束器１０の内部に平積みされた古紙を一纏めにできる。先ず、図４に示すように、紐端部掛止手段３に掛け止められた紐端部１２を紐端部掛止手段３から外すと共に、紐ロール装着手段７から繰り出されている紐１１を紐切断手段８により切断する。また、各係止手段５に係止されている紐１１を各係止手段５から外す。次いで、側面２ｂ及び２ｃの上縁外側に配置されている紐１１をガイド６ｂ及び６ｃから外して、平積みされた古紙の上面の中心Ｏまで引き出す。最後に、平積みされた古紙の上面の中心Ｏに引き出された紐１１に紐端部１２又はもう一方の紐端部１３をさし通し、もう一方の紐端部１２又は紐端部１３と本結びする。こうすることで、古紙は十文字に結ばれて、一纏めになる。
【００８１】
古紙収容結束器１０から一纏めにされた古紙を運び出した後、次の古紙収容結束器１０の使用のため、再度紐１１の配置作業を行う。
【００８２】
（古紙収容結束器の製造）
古紙収容結束器１０は、射出成形によって製造することができる。射出成形は、古紙収容結束器１０と同一の形状の空間を有する金型に、射出成形ノズルの先端から樹脂を押し出して成形する。樹脂としては、例えば、ポリエチレン、ポリプロピレン、ポリスチレン、ポリ塩化ビニル、ポリ酢酸ビニル、ＡＢＳ樹脂、アクリル樹脂等を挙げることができる。なお、古紙収容結束器１０の金型は、ランナーやゲート等の形、バランス、寸法等を任意に設計して製造される。
【００８３】
［応用例］
古紙収容結束器１０は、図２１に示すように、各側面２を正面視した左右両側及び底面１の四隅に開口部１５を設けることができる。このように開口部１５を設けることで、収容された古紙の積載量を一目で把握できると共に、古紙収容結束器１０の重量を軽くできる。また、古紙収容結束器１０の内部から結束した古紙を運び出す際、古紙と古紙収容結束器１０の内壁とがこすれることにより生じる摩擦抵抗を低減できるので、古紙を楽に運び出すことができるようになる。なお、図２１の古紙収容結束器１０の各面には、紐１１を這わせる方向を分かりやすくするために、大きめの矢印を付した古紙収容結束器１０の例を併せて示している。
【００８４】
古紙収容結束器１０は、各側面２を外側に可動する構造（図示しない）を採用することができる。各側面２を外側に可動する構造とすることで、大きさの異なる古紙を収納し且つ結束することができる。また、新聞、雑誌、一定の大きさのダンボール等の大きさに応じて、それぞれの寸法を固定した種々の大きさの古紙収容結束器１０とすることができる。
【００８５】
以上、本発明に係る古紙収容結束器１０によれば、結束用の紐１１の端部１２を紐端部掛止手段７に掛け止めた後、紐ロールとの間の紐１１を引っ張りながら引き回すことができる。これにより、古紙収容結束器１０に紐１１を這わせる際、掛け止めた紐端部１２を基点として紐１１を引き回すことができるので、紐１１にたるみが生じにくい。その結果、紐１１を古紙収容結束器１０の所定の位置に容易に配置できる。また、第１から第４の各側面２の下部中央に設けられた係止手段５と、第１から第４の各側面２の上縁中央に設けられた案内手段４と、第２及び第３の側面の上縁外側に設けられたガイド６とに這わせた紐１１が、しっかりと固定されるので、一度這わせた紐１１が容易に外れない。その結果、結束用の紐１１を古紙収容結束器１０の所定の位置に容易に配置できる。
【００８６】
また、本発明に係る古紙収容結束器１０によれば、結束用の紐１１を這わせる際に紐１１に張力を付与させながら引き回すことができるので、紐１１にたるみが生じにくい。その結果、紐１１を古紙収容結束器１０の所定の位置に容易に配置できる。また、第１から第４の各側面２の下部中央に設けられた係止手段５と、第１から第４の各側面２の上縁中央に設けられた案内手段４と、側面２ｂ及び側面２ｃの上縁外側に設けられたガイド６ｂ及びガイド６ｃとに這わせた紐１１が、しっかりと固定されるので、一度這わせた紐１１が容易に外れない。その結果、結束用の紐１１を古紙収容結束器１０の所定の位置に容易に配置できる。
【符号の説明】
【００８７】
１  底面
２，２ａ，２ｂ，２ｃ，２ｄ  側面
３  紐端部掛止手段
４，４ａ，４ｂ，４ｃ，４ｄ  案内手段
５，５ａ，５ｂ，５ｃ，５ｄ  係止手段
６，６ｂ，６ｃ  ガイド
７  紐ロール装着手段
８  紐切断手段
１０，１０Ａ，１０Ｂ，１０Ｃ，１０Ｄ，１０Ｅ  古紙収容結束器
１１  結束用の紐
１２，１３  紐端部
１４，１５，３３，４５，８４，８５  開口部
２０，２２  装着軸
２１  受け部
２３  紙管
２４，２６，３０，３４  装着軸取付部
２５，２８，３２，３５  装着軸取り外し部
２７，２９，３１  凸部
３６  紙管と装着軸との接触部分
４０，４２，８２，１０６  突起軸
４１  平板
４３，８３，１０７  ボルト
４４  中空体構造
４６  クリップ
４７，５１  圧接部
４８  クリップの部材
４９  ねじりコイルバネ
５０  スライドクリップ
５２  挟み具
５３，９２  スリット
６０，６１  突起板
６２，６３，６４，６５  略矢印型突起板
６６，６７，６８，６９  Ｌ字型突起板
８０，８１  フランジ構造
８６，１０８  張り出し部
９０  掛け切り式紐切断手段
９１，９５  カッター刃
９３  押し切り式紐切断手段
９４  可動部
９６  突起部
９７  スプリング
１００  円型切り欠け部
１０１  矩形型切り欠け部
１０２  Ｕ字型切り欠け部
１０３  Ｌ字型切り欠け部
１０４  半円型切り欠け部
１０５  Ｖ字型切り欠け部
１１０，１１１  装着軸を備えた紐ロール装着手段
１１２  ゼンマイバネ
１１３  ゼンマイバネの巻き芯部
１１４  ラチェット構造
１１５  ゼンマイバネの端部
【図１】
0005829439.tif 000002
【図２】
0005829439.tif 000003
【図３】
0005829439.tif 000004
【図４】
0005829439.tif 000005
【図５】
0005829439.tif 000006
【図６】
0005829439.tif 000007
【図７】
0005829439.tif 000008
【図８】
0005829439.tif 000009
【図９】
0005829439.tif 000010
【図１０】
0005829439.tif 000011
【図１１】
0005829439.tif 000012
【図１２】
0005829439.tif 000013
【図１３】
0005829439.tif 000014
【図１４】
0005829439.tif 000015
【図１５】
0005829439.tif 000016
【図１６】
0005829439.tif 000017
【図１７】
0005829439.tif 000018
【図１８】
0005829439.tif 000019
【図１９】
0005829439.tif 000020
【図２０】
0005829439.tif 000021
【図２１】
0005829439.tif 000022